(57)【要約】【課題】着脱操作しやすく、装着感も良いうえ、さらに低コストで製造できる穿刺針ユニットの固定カバーを提供する。【解決手段】穿刺針ＮＤを穿刺した肢体に貫挿されて装着される穿刺針ユニットの固定カバーであり、肢体装着状態で内側の穿刺針ユニットを外部から透視可能でかつ肢体に伸縮自在に密着しつつ穿刺針ユニットを固定する筒状部１２と、筒状部１２の一端側（２０）に設けられ肢体を挿入させる挿入開口１４と、他端側（２２）に設けられた手指側開口１６と、を備え、筒状部１２の手指側開口１６縁の捲れ上がりを防止する捲れ上がり防止手段１８を備えた穿刺針ユニットの固定カバー１０から構成される。【選択図】図１
2016000158.tif 000002
【特許請求の範囲】
【請求項１】
穿刺針を穿刺した肢体に貫挿されて装着される穿刺針ユニットの固定カバーであり、
肢体装着状態で内側の穿刺針ユニットを外部から透視可能でかつ肢体に伸縮自在に密着しつつ穿刺針ユニットを固定する筒状部と、
筒状部の一端側に設けられ肢体を挿入させる挿入開口と、
他端側に設けられた手指側開口と、を備え、
筒状部の手指側開口縁の捲れ上がりを防止する捲れ上がり防止手段を備えたことを特徴とする穿刺針ユニットの固定カバー。
【請求項２】
捲れ上がり防止手段は、筒状部に一体に形成され肢体の首部又は指股部に係合する引留め構造を含むことを特徴とする請求項１記載の穿刺針ユニットの固定カバー。
【請求項３】
引留め構造は、手指側開口を複数に分割するように１又は複数の指股部に係合する１又は複数の結合部を有することを特徴とする請求項２記載の穿刺針ユニットの固定カバー。
【請求項４】
結合部は、親指が挿通する開口と他の指が挿通する開口とに２分割するように親指と人差し指間の指股部に係合する縫合部からなることを特徴とする請求項３記載の穿刺針ユニットの固定カバー。
【請求項５】
穿刺針ユニットの固定カバーは細繊維からなる編成糸を丸編みで筒状に形成した織成筒状布からなり、
筒状部が一重編みされるとともに、挿入開口側及び手指側開口側となる両端部が二重編みされたことを特徴とする請求項１ないし４のいずれかに記載の穿刺針ユニットの固定カバー。
【請求項６】
腕の付け根近傍から手指側に至る全長長さで形成されていることを特徴とする請求項１ないし５のいずれかに記載の穿刺針ユニットの固定カバー。
【発明の詳細な説明】
【技術分野】
【０００１】
本発明は、例えば、人工透析や点滴、輸血、献血等の際に腕に刺した穿刺針が抜脱するのを良好に防止できる穿刺針ユニットの固定カバーに関する。
【背景技術】
【０００２】
点滴や人工透析の際には、その治療中の長時間に亘って注射針を腕に刺した状態で保持させておく必要があるが、例えば、医療用粘着テープで注射針を固定しておくだけでは、患者が身体を動かした際に不意に注射針が抜けてしまったり、認知症の患者や子供等の患者の場合には自ら注射針を抜いてしまったりするおそれがあることから、患者の腕から該針が抜けにくいように針先を固定する方法がとられている。従来、注射針等の固定方法としては、例えば、医療用粘着テープで患者の体に注射針を一旦固定し、骨折や捻挫箇所の固定などに使用される医療用シーネを利用して腕とともに注射針を覆って固定していた。しかしながら、従来のシーネを利用して腕ごと注射針を覆う方法では、覆っている箇所が蒸れて痒み等の皮膚の異常をきたすとともに、腕の周囲を固定して動きを大きく抑制するものであるから患者は違和感、不快感、圧迫感や拘束感、あるいは痛みや苦痛を感じ、身体的及び精神的に負担を強いるものであった。さらに、着脱操作に手間がかかるうえ、注射針を刺した腕の周囲を外部から視認できないことから、点滴や透析の回路管の確認、進行状態や器具状態の確認、抜針していないかの確認又は針を刺した周囲の皮膚の状態の確認等の確認作業を医師や看護師等が行う際に、その都度、シーネやガーゼを脱着する必要があり、煩雑で患者にもさらなる負担となっていた。
【０００３】
一方、例えば、特許文献１には、高齢者、子供、認知症の患者の点滴針引き抜き防止を目的とした点滴保護具が提案されている。特許文献１の点滴保護具は、網目状の保護部材を有し該保護部材の四辺には保護枠を設け、さらに保護枠の対向する２辺の延長上にはそれぞれ取り付け紐を設けて、かつ、それぞれの取り付紐と保護枠とを面ファスナで着脱自在に接合するものであった。
【先行技術文献】
【特許文献】
【０００４】
【特許文献１】実用新案登録第３１４２１１４７号公報
【発明の概要】
【発明が解決しようとする課題】
【０００５】
しかしながら、特許文献１の点滴保護具では、取付紐を面ファスナで接合させて装着するものであるから、着脱操作に手間がかかるとともに、針から器具へと伸びる回路管等の回路を挟んだ状態で取付紐を締め付ける必要があることから、取付紐を強く締め付けてしまうと腕や回路管等を圧迫してスムーズな治療を阻害するおそれがあり、逆にゆるく締め付けてしまうと保護具の位置ずれて針が露出してしまったり針が抜けてしまったりして又は回路管が絡んで点滴治療等に支障をきたすおそれがあり、実用性に劣る問題があった。さらに、部材点数が多く製造工程が煩雑でコストも高い等の問題があった。
【０００６】
本発明は上記従来の課題に鑑みてなされたものであり、その一つの目的は、着脱操作しやすく、装着感も良いうえ、さらに低コストで製造できる穿刺針ユニットの固定カバーを提供することにある。
【課題を解決するための手段】
【０００７】
上記課題を解決するために本発明は、穿刺針ＮＤを穿刺した肢体に貫挿されて装着される穿刺針ユニットの固定カバーであり、肢体装着状態で内側の穿刺針ユニットを外部から透視可能でかつ肢体に伸縮自在に密着しつつ穿刺針ユニットを固定する筒状部１２と、筒状部１２の一端側（２０）に設けられ肢体を挿入させる挿入開口１４と、他端側（２２）に設けられた手指側開口１６と、を備え、筒状部１２の手指側開口縁の捲れ上がりを防止する捲れ上がり防止手段１８を備えたことを特徴とする穿刺針ユニットの固定カバー１０から構成される。例えば、穿刺針ユニットの固定カバー１０は、ストッキング生地のように薄手で伸縮性があり、内部を透視できるもので形成されるとよい。
【０００８】
また、捲れ上がり防止手段１８は、筒状部１２に一体に形成され肢体の首部又は指股部ＦＭに係合する引留め構造２４を含むこととしてもよい。
【０００９】
また、引留め構造２４は、手指側開口１６を複数に分割するように１又は複数の指股部ＦＭに係合する１又は複数の結合部２６を有することとしてもよい。
【００１０】
また、結合部２６は、親指ＴＨが挿通する開口１６ａと他の指が挿通する開口１６ｂとに２分割するように親指ＴＨと人差し指ＦＦ間の指股部ＦＭに係合する縫合部２８からなることとしてもよい。
【００１１】
また、穿刺針ユニットの固定カバーは細繊維からなる編成糸を丸編みで筒状に形成した織成筒状布からなり、筒状部１２が一重編みされるとともに、挿入開口１４側及び手指側開口１６側となる両端部（２０、２２）が二重編みされたこととしてもよい。
【００１２】
また、腕の付け根近傍から手指側に至る全長長さで形成されていることとしてもよい。
【発明の効果】
【００１３】
本発明の穿刺針ユニットの固定カバーによれば、穿刺針を穿刺した肢体に貫挿されて装着される穿刺針ユニットの固定カバーであり、肢体装着状態で内側の穿刺針ユニットを外部から透視可能でかつ肢体に伸縮自在に密着しつつ穿刺針ユニットを固定する筒状部と、筒状部の一端側に設けられ肢体を挿入させる挿入開口と、他端側に設けられた手指側開口と、を備え、筒状部の手指側開口縁の捲れ上がりを防止する捲れ上がり防止手段を備えたことから、伸縮性を利用して密着状に腕等の肢体に装着されるので、穿刺針を刺した腕に対して着脱操作を行いやすいとともに、装着時には動きが制限されにくいうえ、穿刺針やそれに接続される回路管等がずれたり、絡んだりしにくく、穿刺針ユニットを確実に固定して、不意に針が抜けたり患者が針を抜いたりするのを防止できる。さらに、装着時の穿刺針ユニットの回路等を外部から簡易に確認することができながら、筒状部が腕や穿刺針ユニットにフィットして良好な装着感を得ることができ、穿刺針を刺した周囲の皮膚が剥離するのを防止できる。さらに、低コストで製造できる。
【００１４】
また、捲れ上がり防止手段は、筒状部に一体に形成され肢体の首部又は指股部に係合する引留め構造を含む構成とすることにより、装着時に指先の自由を確保しながら捲れ上がり防止手段を簡単な構造で実現できる。
【００１５】
また、引留め構造は、手指側開口を複数に分割するように１又は複数の指股部に係合する１又は複数の結合部を有する構成とすることにより、簡単な構造で引き止め構造を具体的に実現できるともに、筒状部に穿刺針を刺した腕等を通して装着するだけで捲れ上がりを防止した装着状態となり、簡単かつ円滑に適切に装着することができる。
【００１６】
また、結合部は、親指が挿通する開口と他の指が挿通する開口とに２分割するように親指と人差し指間の指股部に係合する縫合部からなる構成とすることにより、着脱操作をスムーズに行えるとともに装着感も良く、さらに、構造が極めて簡単で、低コストで製造できる。
【００１７】
また、穿刺針ユニットの固定カバーは細繊維からなる編成糸を丸編みで筒状に形成した織成筒状布からなり、筒状部が一重編みされるとともに、挿入開口側及び手指側開口側となる両端部が二重編みされた構成とすることにより、柔らかに腕にフィットして患者が違和感や不快感、圧迫感、拘束感及び苦痛や痛み等を感じにくく、装着感を向上しうる。さらに、両端部の強度が高く端部側のズレを防止するとともに、端部からのほつれによるカバー体の損耗等が生じにくく、実用性が高い。
【００１８】
また、腕の付け根近傍から手指側に至る全長長さで形成されている構成とすることにより、穿刺針やそれに接続される回路管等を含む穿刺針ユニットを確実に固定して抜針防止できると同時に、腕を覆って皮膚保護や、腕を保温して血流を良くし透析や点滴等の治療の円滑化に寄与できる。
【図面の簡単な説明】
【００１９】
【図１】本発明の一実施形態にかかる穿刺針ユニットの固定カバーの全体図である。
【図２】図１の穿刺針ユニットの固定カバーの手側端部の拡大説明図である。
【図３】図１の穿刺針ユニットの固定カバーの肩側端部の拡大説明図である。
【図４】図１の穿刺針ユニットの固定カバーを腕に装着した状態の参考図である。
【図５】透析する際の図１の穿刺針ユニットの固定カバーの作用説明図である。
【発明を実施するための形態】
【００２０】
以下添付図面を参照しつつ本発明の穿刺針ユニットの固定カバーの実施形態について説明する。本発明に係る穿刺針ユニットの固定カバーは、例えば、人工透析、点滴、輸血、献血等、注射針を刺した状態を長時間保持しておく際に抜針事故を防止するために注射針等を固定しておくために用いられる注射針固定用補助具である。図１ないし図５は、本発明の穿刺針ユニットの固定カバーの一実施形態を示している。図１、図５に示すように、本実施形態において、穿刺針ユニットの固定カバー１０は、穿刺針を穿刺した肢体に貫挿されて装着される穿刺針ユニットの固定カバーであり、筒状部１２と、筒状部１２の一端側に設けられた挿入開口１４と、筒状部１２の他端側に設けられた手指側開口１６と、捲れ上がり防止手段１８と、を有する。なお、本実施形態では、穿刺針ユニットの固定カバー１０は、患者の肢体のうち上肢すなわち腕に透析等の穿刺針ユニットを刺して該腕に装着される態様で説明する。
【００２１】
図１、図５に示すように、筒状部１２は、伸縮性を有し穿刺ユニットＮＵを刺した腕を内部に通して装着する筒状のカバー本体であり、腕装着状態で内側の穿刺針ユニットＮＵを外部から透視可能で、かつ腕に伸縮自在に密着しつつ該穿刺針ユニットＮＵを固定して該穿刺針ＮＤの穿刺状態を保持する筒状カバーである。筒状部１２は、該筒状部１２の一端側すなわち腕装着状態で肩側となる肩側端部２０側には、腕を挿入させる挿入開口１４が設けられているとともに、該筒状部１２の他端側すなわち腕装着状態で手指側となる手指端部２２側には手指開口１６が設けられ、端部が開口縁を形成した両端開口筒状体となっている。
【００２２】
本実施形態では、挿入開口１４、手指開口１６が設けられた両端部（２０、２２）を含む筒状部１２全体は、例えば、ストッキング生地に用いられるような長繊維で形成されており、より具体的には伸縮性のあるポリウレタン製の芯糸の周囲をナイロン製の鞘糸を巻き付けたカバードヤーンタイプの細繊維からなる編成糸を、丸編みで筒状にした織成筒状布からなる。筒状部１２の全長長さすなわち穿刺針ユニットの固定カバー１０の全長長さは、例えば、強制的に伸長させない通常の状態で約４０〜６０ｃｍ程度の長さで設定されており、腕に装着した際に腕の略全体を覆うように腕の付け根近傍から手指側に至るような長さで形成されている。穿刺針ユニットの固定カバー１０の色は、肌の色に近い色で設定されており、装着した際に該固定カバーが目立たず、装着者が不快感や違和感をできるだけ感じにくいように設けられている。なお、穿刺針ユニットの固定カバー１０の全長長さや色等は任意でもよい。
【００２３】
筒状部１２は一重編みで伸縮性を有するように編成され比較的薄く形成されており、布地が透けて外部から内側を透視して装着状態の穿刺針ユニットを視認することができるようになっている。図１、図３に示すように、挿入開口１４側となる肩側端部２０は、二重編みで伸縮性を有するように編成されているとともに、生地を端部側で折り返して形成されている。よって、生地の強度が高く、腕装着時の該端部側が密着し、該肩側端部が装着位置からズレたり、生地がほつれて損耗したりしにくい。肩側端部２０は、例えば、３〜５ｃｍ程度の比較的広い幅で形成されている。図１、図２に示すように、手指開口１６側となる手指側端部２２は、二重編みで伸縮性を有するように編成されているとともに、生地を端部側で折り返して形成されており、生地の強度が高く、生地がほつれて損耗したりしにくい。手指側端部２２は、例えば、数ｍｍ〜２ｃｍ程度の比較的狭い幅で形成されており、本実施形態では、手指側端部２２に捲れ上がり防止手段１８が設けられている。また、上腕に係合される肩側端部２０の肩側開口１４の方が、手指側に係合される手指側開口の大きさより若干大きく形成されている。
【００２４】
捲れ上がり防止手段１８は、筒状部１２の手指側開口１６縁の捲れ上がりを防止するカバーの装着保持手段である。図１、図２、図４に示すように、本実施形態では、捲れ上がり防止手段１８は、筒状部１２の手指側端部２２に一体に形成され、手の指股部に係合する引留め構造２４を含む。引留め構造１８は、例えば、手指側開口１６を２つに分割するように１つの指股部に係合する１つの結合部２６を有する。結合部２６は、親指が挿通する開口と他の指が挿通する開口とに２分割するように親指ＴＨと人差し指ＦＦ間の指股部ＦＭに係合する縫合部からなる。すなわち、手指側端部２２において、手指側開口縁を扁平に重ね合わせた状態で中間位置を糸で縫合することにより係合部２６を形成し、該手指側開口１６を親指を通すための小さな第１開口１６ａと、その他の４本の指を通すための大きな第２開口１６ｂと、に２分割して捲れ上がり防止手段１８を構成している。これにより、穿刺針ユニットの固定カバー１０に腕を通し、各指を手指側開口の第１、第２開口１６ａ、１６ｂからそれぞれ出して装着するだけで、手指と結合部２６が係合させ、該手指側開口縁の捲れ上がりを確実に防止することができる。本実施形態では、筒状部１２及びその両端部２０、２２を形成する際に手指側端部２２の２重編み部分に色糸でマーキング３０しておき、その後該マーキング３０部分を糸で縫合して縫合部２８を形成することにより、手指側開口１６を２分割している。なお、２〜４つ複数の指股部に係合するように２〜４の複数の結合部を有することとしてもよい。また、引留め構造２４は、上記したものに限らず、例えば、手指側開口縁に伸縮絞りゴムや縛り紐を設けたりして手首に係合して捲り上がり防止を行う構成としてもよい。
【００２５】
次に、図５を参照しつつ、本実施形態に係る穿刺針ユニットの固定カバー１０の作用について説明する。例えば、透析や点滴等の治療を行う際に、図示しない透析機器又は点滴液から延びる回路管ＴＢに接続された穿刺針ＮＤを刺した状態の腕を該挿入開口１４から入れていく。この際、伸縮性を有するので円滑に装着操作を行える。そして、図５に示すように、手指を手指開口１６から出し、親指ＴＨと人差し指ＦＦとの間の指股部ＦＭに縫合部２８を係合させ、腕に穿刺針ユニットの固定カバー１０を装着する。この装着状態では、筒状部１２の伸縮性により腕と該腕に穿刺された穿刺針ＮＤ及びそれに接続される回路管ＴＢを含む穿刺針ユニットを密着して覆うことで該穿刺針ユニットＮＵを固定することができる。これにより、回路管が絡んだり、穿刺針ＮＤが自然に抜けたりしにくいと同時に、患者が自身で針を抜く抜針事故を良好に防止でき、さらに、穿刺針ＮＤが刺された周囲の皮膚を保護し、患者が掻いたりしにくい。また、患者の腕を大きく制限しないので、手指及び腕をある程度自由に動かすことができるとともに、細繊維の織成筒状布からなるので肌触りもよく、柔らかにフィットして装着感がよく、患者に痛みや違和感、不快感などの身体的苦痛及び精神的苦痛を与えにくい。さらに、カバー外部から穿刺針ＮＤや回路管ＴＢを透視できるので、該穿刺針ユニットの状態を簡易に把握でき、円滑に透析や点滴等を行うことができる。また、腕全体を覆っているので腕をある程度温めて血液の流れを良くし、円滑な治療に寄与できる。透析や点滴等の治療が終了したら、穿刺針ユニットの固定カバー１０は取り外されるが、取り外す際にも伸縮性を利用して患者や看護者等に負担を負わせることなく簡単かつスピーディに取り外すことができる。
【００２６】
以上説明した本発明の型枠装置は、上記した実施形態のみの構成に限定されるものではなく、特許請求の範囲に記載した本発明の本質を逸脱しない範囲において、任意の改変を行ってもよい。
【産業上の利用可能性】
【００２７】
本発明の穿刺針ユニットの固定カバーは、例えば、人工透析、輸血、献血、点滴等の際に好適に利用できる。
【符号の説明】
【００２８】
１０    穿刺針ユニットの固定カバー
１２    筒状部
１４    挿入開口
１６    手指側開口
１８    捲れ上がり防止手段
２４    引留め構造
２６    結合部
２８    縫合部
【図１】
2016000158.tif 000003
【図２】
2016000158.tif 000004
【図３】
2016000158.tif 000005
【図４】
2016000158.tif 000006
【図５】
2016000158.tif 000007